(57)【要約】【課題】電線を導電端子板に接続した際に導電端子板の接点板部が弾性部材の弾性力によって倒れ込むのを防止することができる、補助回路端子部を備えた補助接点ユニットを提供する。【解決手段】補助接点ユニット１は、補助回路端子部２０ａを備える。補助回路端子部２０ａは、端子カバー１２に形成された電線挿入口２１ａと、導電端子板２３ａと、上部ケース１１内に挿入された電線Ｗを弾性力で導電端子板２３ａの接点板部２９に押し付ける弾性部材２２ａとを備える。上部ケース１１に、導電端子板２３ａの接点板部２９の、弾性力が作用する方向の背面側に位置する支持部１１ｊを設け、下部ケース１３に、接点板部２９と支持部１１ｊとの間に入り込み、接点板部２９の背面側を支持する支持板部１３ｂを設け、端子カバー１２に、支持板部１３ｂ及び支持部１１ｊを弾性力が作用する方向の正面側及び背面側から挟み込んで固定する固定部１２ｃを設ける。【選択図】図７
2020042912.tif 000002
【特許請求の範囲】
【請求項１】
電磁接触器に装着されるケースに補助回路端子部を備えた補助接点ユニットであって、
前記ケースは、上部ケースと、該上部ケースに上方から取り付けられる端子カバーと、前記上部ケースに下方から取り付けられ、前記電磁接触器に対するユニット側連結面を有する下部ケースとを備え、
前記補助回路端子部は、前記端子カバーに形成された電線挿入口と、電線が前記電線挿入口から前記上部ケース内に挿入される方向に沿って接点板部が一端に設けられている導電端子板と、前記上部ケース内に挿入された電線を弾性力で前記接点板部に押し付ける弾性部材とを備え、
前記上部ケースに、前記導電端子板の接点板部の、前記弾性力が作用する方向の背面側に位置する支持部を設け、
前記下部ケースに、前記接点板部と前記支持部との間に入り込み、前記接点板部の背面側を支持する支持板部を設け、
前記端子カバーに、前記下部ケースに設けた支持板部及び前記上部ケースに設けた支持部を前記弾性力が作用する方向の正面側及び背面側から挟み込んで固定する固定部を設けたことを特徴とする補助接点ユニット。
【請求項２】
前記下部ケースのユニット側連結面に設けられた可動フック部を備え、
該可動フック部が、前記電磁接触器の本体側連結面に形成した引掛け穴に係合することが可能な可動爪及び被押圧片を形成したフック部本体と、直線ばねとを備え、前記ユニット側連結面に形成した本体収容凹部に前記フック部本体をスライド自在に収容し、前記フック部本体のスライド方向に直交して前記ユニット側連結面に形成したばね収容凹部に、長さ方向の中間部を前記フック部本体に係合させて前記直線ばねを収容する構造とし、
前記フック部本体は、前記本体収容凹部内をスライドするスライド板と、該スライド板の下面から下方に突出して設けられ、下端側に前記可動爪をスライド方向に突出するように形成した係合部と、前記可動爪が突出している側の前記スライド板の一側面に設けられた前記被押圧片と、前記スライド板の一側面と逆側の他側面側に設けられ、前記直線ばねの長さ方向中央部に係合するとともに前記直線ばねの浮き上がりを防止するばね係合保持片とを備え、
前記スライド板の他側面は、前記係合部の前記可動爪が突出している側と逆側の面と面一になるように形成され、
前記スライド板の一側面には、前記フック部本体の重心位置を前記スライド板の他側面側から一側面側にずらす肉盛部を形成したことを特徴とする請求項１に記載の補助接点ユニット。
【発明の詳細な説明】
【技術分野】
【０００１】
本発明は、電磁接触器に装着される補助接点ユニットに関する。
【背景技術】
【０００２】
電流路を開閉する電磁接触器には、補助接点ユニットが装着されることがある。この補助接点ユニットは、一般に、ユニットケース本体の一側に設けられた一方側補助回路端子部と、ユニットケース本体の他方側に設けられた他方側補助回路端子部と、ユニットケース本体の内部に補助接点部とを備えている。そして、補助接点部は、補助可動接点と、一方側補助回路端子部に接続された第１補助固定接点及び他方側補助回路端子部に接続された第２補助固定接点とを有している。そして、補助可動接点が、電磁接触器の接点部に連動して動作し、第１補助固定接点及び第２補助固定接点が開閉されるようになっている。
そして、一方側補助回路端子部には例えば電源側に接続された電線が接続され、他方側補助回路端子部には例えば負荷側に接続された電線が接続される。
【０００３】
この種の補助接点ユニットを装着する電磁接触器として、従来、例えば特許文献１に示すものが知られている。
特許文献１に示す補助接点ユニットは、ユニットケース本体の一側に設けられた一方側補助回路端子部と、ユニットケース本体の他方側に設けられた他方側補助回路端子部と、ユニットケース本体の内部に補助接点部とを備えている。そして、一方側補助回路端子部及び他方側補助回路端子部は、同様の構成を有し、それぞれ、ユニットケース本体に固定される雌ねじ付きタブ端子部と、この雌ねじ付きタブ端子部に螺合するねじ付き端子部とを備えている。また、ねじ付き端子部は、端子板と、この端子板に取り付けられた雄ねじとを備えている。そして、電線の先端に接続された圧着端子が、雌ねじ付きタブ端子部とねじ付き端子部の端子板との間に挟持されることにより、雌ねじ付きタブ端子部に接続されるようになっている。
【０００４】
一方、近年、回路遮断器や電磁接触器などの電気機器では、例えば、特許文献２に示すような電線を弾性保持する弾性部材を備えたスプリング端子が採用されてきている。
特許文献２に示すスプリング端子は、電気機器のケースに設けた電線挿入口と、ケース内に配置された導電端子板とを備えている。導電端子板は、電線が電線挿入口からケース内に挿入される方向に沿って接点板部が一端に設けられている。また、このスプリング端子は、ケース内に挿入された電線を弾性力で接点板部側に押し付ける弾性部材を備えている。このスプリング端子においては、電線を電線挿入口からケース内に挿入すると、弾性部材による弾性力で電線を接点板部側に押し付け、これにより電線を導電端子板に接続する。
【先行技術文献】
【特許文献】
【０００５】
【特許文献１】特開２０１１−１５４８６５号公報
【特許文献２】特許第５５３９８０９号公報
【発明の概要】
【発明が解決しようとする課題】
【０００６】
ところで、近年においては、特許文献２に示すようなスプリング端子を例えば特許文献１に示すような補助接点ユニットの一方側補助回路端子部及び他方側補助回路端子部に採用したいとの要望がある。
ここで、特許文献２に示すようなスプリング端子を補助接点ユニットの一方側補助回路端子部及び他方側補助回路端子部に採用した場合、ケース内に挿入された電線が弾性部材の弾性力によって導電端子板の接点板部に押し付けられる。このため、電線を導電端子板に接続した際に、導電端子板の接点板部が弾性部材の弾性力によって倒れ込んでしまい、適切な電線保持力を得られないおそれがある。
【０００７】
従って、本発明はこの従来の課題を解決するためになされたものであり、その目的は、電線を導電端子板に接続した際に導電端子板の接点板部が弾性部材の弾性力によって倒れ込むのを防止することができる、補助回路端子部を備えた補助接点ユニットを提供することにある。
【課題を解決するための手段】
【０００８】
上記課題を解決するために、本発明の一態様に係る補助接点ユニットは、電磁接触器に装着されるケースに補助回路端子部を備えた補助接点ユニットであって、前記ケースは、上部ケースと、該上部ケースに上方から取り付けられる端子カバーと、前記上部ケースに下方から取り付けられ、前記電磁接触器に対するユニット側連結面を有する下部ケースとを備え、前記補助回路端子部は、前記端子カバーに形成された電線挿入口と、電線が前記電線挿入口から前記上部ケース内に挿入される方向に沿って接点板部が一端に設けられている導電端子板と、前記上部ケース内に挿入された電線を弾性力で前記接点板部に押し付ける弾性部材とを備え、前記上部ケースに、前記導電端子板の接点板部の、前記弾性力が作用する方向の背面側に位置する支持部を設け、前記下部ケースに、前記接点板部と前記支持部との間に入り込み、前記接点板部の背面側を支持する支持板部を設け、前記端子カバーに、前記下部ケースに設けた支持板部及び前記上部ケースに設けた支持部を前記弾性力が作用する方向の正面側及び背面側から挟み込んで固定する固定部を設けたことを要旨とする。
【発明の効果】
【０００９】
本発明に係る補助接点ユニットによれば、電線を導電端子板に接続した際に導電端子板の接点板部が弾性部材の弾性力によって倒れ込むのを防止することができる、補助回路端子部を備えた補助接点ユニットを提供できる。
【図面の簡単な説明】
【００１０】
【図１】本発明の一実施形態に係る補助接点ユニットを電磁接触器に装着した状態を示す斜視図である。
【図２】図１に示す補助接点ユニットの分解斜視図である。
【図３】図１に示す補助接点ユニットを前方斜め上方から見た斜視図である。
【図４】図１に示す補助接点ユニットを後方斜め上方から見た斜視図である。
【図５】図１に示す補助接点ユニットを前方斜め下方から見た斜視図である。
【図６】図１に示す補助接点ユニットを後方斜め下方から見た斜視図である。
【図７】図１に示す補助接点ユニットを前後方向に沿って切断した断面図である。
【図８】上部ケース１１を前方斜め上方から見た斜視図である。
【図９】図１に示す補助接点ユニットに用いられる導電端子板の斜視図である。
【図１０】補助接点ユニットを前方斜め下方から見た斜視図であり、可動フック部を分解した状態で示している。
【図１１】フック部本体を前方斜め下方から見た斜視図である。
【図１２】フック部本体を後方斜め上方から見た斜視図である。
【図１３】フック部本体の可動爪が引掛け穴に係合した状態を示す断面図である。
【図１４】図１に示す補助接点ユニットを電磁接触器に装着した状態における電線引張試験の概要を示す説明図である。
【図１５】参考例に係る補助接点ユニットを電磁接触器に装着した状態を示す斜視図である。
【図１６】図１５に示す補助接点ユニットの分解斜視図である。
【図１７】図１５に示す補助接点ユニットを前方斜め上方から見た斜視図である。
【図１８】図１５に示す補助接点ユニットを後方斜め上方から見た斜視図である。
【図１９】図１５に示す補助接点ユニットを前方斜め下方から見た斜視図である。
【図２０】図１５に示す補助接点ユニットを後方斜め下方から見た斜視図である。
【図２１】図１５に示す補助接点ユニットを前後方向に沿って切断した断面図である。
【図２２】図１５に示す補助接点ユニットに用いられる導電端子板の斜視図である。
【図２３】補助接点ユニットを前方斜め下方から見た斜視図であり、可動フック部を分解した状態で示している。
【図２４】フック部本体を前方斜め下方から見た斜視図である。
【図２５】フック部本体を後方斜め上方から見た斜視図である。
【図２６】フック部本体の可動爪が引掛け穴に係合した状態を示す断面図である。
【図２７】図１５に示す補助接点ユニットを電磁接触器に装着した状態における電線引張試験の概要を示す説明図である。
【発明を実施するための形態】
【００１１】
以下、本発明の実施形態について図面を参照して説明する。
以下に示す実施形態は、本発明の技術的思想を具体化するための装置や方法を例示するものであって、本発明の技術的思想は、構成部品の材質、形状、構造、配置等を下記の実施形態に特定するものではない。また、図面は模式的なものである。そのため、厚みと平面寸法との関係、比率等は現実のものとは異なることに留意すべきであり、図面相互間においても互いの寸法の関係や比率が異なる部分が含まれている。
【００１２】
図１には、補助接点ユニット１を電磁接触器２に装着した状態が示されている。
ここで、電磁接触器２は、電流路を開閉するものであり、前後方向、左右方向及び上下方向に延びる略直方体形状のケース本体５を備えている。電磁接触器２は、このケース本体５の前側及び後側のそれぞれに設けられた前側端子部３ａ及び後側端子部３ｂと、ケース本体５の前側及び後側のそれぞれに設けられた前側コイル端子部４ａ及び後側コイル端子部４ｂとを備えている。また、ケース本体５内には、図示しない可動接点と、前側端子部３ａ及び後側端子部３ｂのそれぞれに接続された図示しない固定接点とからなる接点部と、接点部を駆動する図示しない電磁石ユニットとが収納されている。そして、接点部は、図示しない消弧室内に収納され、この消弧室はケース本体５に装着される消弧カバー６によって覆われている。
【００１３】
ここで、消弧カバー６は、前後方向、左右方向及び上下方向に延びる矩形板状に形成され、その上面が補助接点ユニット１を連結する本体側連結面６ａとされている。この本体側連結面６ａには、補助接点ユニット１を装着するための複数の第１引掛け穴７ａ及び第２引掛け穴７ｂ（図１３参照）が形成されている。第１引掛け７ａは、図１及び図１３に示すように、消弧カバー６の前側の長辺側縁部に寄った位置に形成され、第２引掛け穴７ｂは、図１３に示すように、消弧カバー６の後側の長辺側縁部に寄った位置に形成されている。
【００１４】
また、補助接点ユニット１は、図１、図２及び図７に示すように、電磁接触器２の本体側連結面６ａに装着されるケース１０を備えている。また、この補助接点ユニット１は、ケース１０に設けられた複数（本実施形態にあっては４個）の前側補助回路端子部２０ａ及び複数（本実施形態にあっては４個）の後側補助回路端子部２０ｂを備えている。更に、補助接点ユニット１は、ケース１０の内部に設けられた図示しない補助接点部を備えている。
ケース１０は、図１乃至図７に示すように、上部ケース１１と、上部ケース１１に上方から取り付けられる端子カバー１２と、上部ケース１１に下方から取り付けられる下部ケース１３とを備えている。
【００１５】
上部ケース１１は、図８に示すように、前後方向、左右方向及び上下方向に延びる略直方体形状に形成されている。上部ケース１１は、前側に複数（本実施形態にあっては４個）の前側導電端子板収容空間１１ａを備えるとともに、後側に複数（本実施形態にあっては４個）の後側導電端子板収容空間１１ｂを備えている。各前側導電端子板収容空間１１ａ及び各後側導電端子板収容空間１１ｂは、前後において対をなす位置に配置されている。各前側導電端子板収容空間１１ａには、前側補助回路端子部２０ａを構成する後述の前側弾性部材２２ａ及び前側導電端子板２３ａが収容される。また、各後側導電端子板収容空間１１ｂには、後側補助回路端子部２０ｂを構成する後述の後側弾性部材２２ｂ及び後側導電端子板２３ｂが収容される。
【００１６】
そして、複数の前側導電端子板収容空間１１ａと複数の後側導電端子板収容空間１１ｂとの間は、左右方向に延びる第１仕切り壁１１ｃによって仕切られている。また、複数の前側導電端子板収容空間１１ａは、上部ケース１１の左右方向に沿って一列状に配置され、隣接する前側導電端子板収容空間１１ａ間は第２仕切り壁１１ｄによって仕切られている。各前側導電端子板収容空間１１ａは、前側が開放している。また、複数の後側導電端子板収容空間１１ｂも、上部ケース１１の左右方向に沿って一列状に配置され、隣接する後側導電端子板収容空間１１ｂ間は第３仕切り壁１１ｅによって仕切られている。各後側導電端子板収容空間１１ｂは、後側が開放している。
【００１７】
そして、各前側導電端子板収容空間１１ａにおいて、２組の第１圧入用突起１１ｆ及び第２圧入用突起１１ｇが第１仕切り壁１１ｃから前方に延びている。また、各後側導電端子板収容空間１１ｂにおいても、図示はしないが第１仕切り壁１１ｃから２組の第１圧入用突起１１ｆ及び第２圧入用突起１１ｇが第１仕切り壁１１ｃから後方に延びている。
また、各前側導電端子板収容空間１１ａに対応する第１仕切り壁１１ｃ及び各後側導電端子板収容空間１１ｂに対応する第１仕切り壁１１ｃには、圧入用孔１１ｈ及び接続板用スリット１１ｉが形成されている。
【００１８】
また、端子カバー１２は、上部ケース１１の上方を覆う形状に形成されて上部ケース１１に上方から取り付けられる。端子カバー１２の上部ケース１１に形成された前側導電端子板収容空間１１ａに対応する位置には、図２及び図７に示すように、前側電線挿入口２１ａが形成されている。また、端子カバー１２の上部ケース１１に形成された後側導電端子板収容空間１１ｂに対応する位置には、後側電線挿入口２１ｂが形成されている。前側電線挿入口２１ａは、前側導電端子板収容空間１１ａに連通し、後側電線挿入口２１ｂは、後側導電端子板収容空間１１ｂに連通する。
更に、下部ケース１３は、上部ケース１１の下方部及び図示しない補助接点部を収容する上部ケース収容部１３ａを備え、上部ケース１１に下方から取り付けられる。上部ケース収容部１３ａの下面は、電磁接触器２の本体側連結面６ａが当接して電磁接触器２を連結するユニット側連結面１３ｃとされている。
【００１９】
次に、前側補助回路端子部２０ａ及び後側補助回路端子部２０ｂのそれぞれについて説明する。前側補助回路端子部２０ａは、いわゆるスプリング端子を採用し、図２及び図７に示すように、端子カバー１２に形成された前述の前側電線挿入口２１ａと、前側導電端子板２３ａと、前側弾性部材２２ａとを備えている。また、後側補助回路端子部２０ｂも、スプリング端子を採用し、図７に示すように、端子カバー１２に形成された前述の後側電線挿入口２１ｂと、後側導電端子板２３ｂと、後側弾性部材２２ｂとを備えている。後側導電端子板２３ｂは前側導電端子板２３ａと対称形状をなし、後側弾性部材２２ｂは前側弾性部材２２ａと対称形状をなすため、それぞれの説明は省略する。
【００２０】
ここで、前側導電端子板２３ａは、図７及び図９に示すように、略矩形状に形成され、前後方向及び左右方向に延びる基板部２４と、基板部２４の後端から下方に折り曲げられる略矩形状の垂下板部２５とを備えている。前側導電端子板２３ａは、導電性金属板を打抜き及び曲げ加工することにより形成される。
ここで、基板部２４の右端には、上部ケース１１の一方の組の第１圧入用突起１１ｆ及び第２圧入用突起１１ｇ間に圧入される圧入部２８が設けられている。また、基板部２４の左端には、他方の組の第１圧入用突起１１ｆ及び第２圧入用突起１１ｇ間に圧入される圧入部２８が設けられている。
【００２１】
また、前側導電端子板２３ａは、垂下板部２５の左端部から後方に折り曲げ形成された圧入板部２６と、垂下板部２５の右端部から後方に折り曲げ形成された接続板部２７とを備えている。圧入板部２６は、上部ケース１１に形成された圧入用孔１１ｈに圧入固定される。また、接続板部２７は、上部ケース１１に形成された接続板用スリット１１ｉ内に挿入される。
また、前側導電端子板２３ａは、基板部２４の前端（請求項１における導電端子板の一端）から上方に折り曲げ形成された略矩形状の接点板部２９を備えている。接点板部２９は、前側導電端子板２３ａを上部ケース１１に固定した際に、図７に示すように、電線Ｗ（図１４参照）が前側電線挿入口２１ａから上部ケース１１内に挿入される方向に沿って延びている。接点板部２９の上縁の左右方向中央部には、上縁から下方に縦長に延びるスリット２９ｃが形成され、このスリット２９ｃを挟んで第１接点板部２９ａ及び第２接点板部２９ｂが形成されている。そして、第１接点板部２９ａには、左右方向に延び且つ後方に突出する第１接点２９ａａが形成され、第２接点板部２９ｂには、左右方向に延び且つ後方に突出する第２接点２９ｂａが形成されている。
【００２２】
また、前側弾性部材２２ａは、図７に示すように、前側導電端子板収容空間１１ａにおける第１仕切り壁１１ｃに固定される上下方向に延びる略矩形板状の固定部２２ａａを備えている。また、前側弾性部材２２ａは、固定部２２ａａの上端から湾曲部２２ａｂを介して前方斜め下方に延びる電線保持部２２ａｃを備えている。前側弾性部材２２ａは、弾性金属板を打抜き及び曲げ加工することによって形成される。電線保持部２２ａｃは、端子カバー１２に形成された前側電線挿入口２１ａから上部ケース１１の各前側導電端子板収容空間１１ａ内の接点板部２９と電線保持部２２ａｃとの間に挿入された電線Ｗを、弾性力で接点板部２９の第１接点２９ａａ及び第２接点２９ａｂに押し付ける。これにより電線Ｗを保持する。電線Ｗが接点板部２９の第１接点２９ａａ及び第２接点２９ａｂに押し付けられることで、電線Ｗは前側導電端子板２３ａに接続される。
【００２３】
また、電線Ｗが前側導電端子板２３ａに接続された状態で、湾曲部２２ａｂの近傍を上方から工具等によって押圧すると、電線保持部２２ａｃが変位して電線Ｗに対する押圧力が解除され、電線Ｗを引き抜くことができる。
そして、補助接点部は、図示はしないが、電磁接触器２の接点部に連動する補助可動接点を備えている。また、補助接点部は、前側補助回路端子部２０ａの前側導電端子板２３ａの接続板部２７に接続された第１補助固定接点と、後側補助回路端子部２０ｂの後側導電端子板２３ｂの接続板部に接続された第２補助固定接点とを備えている。
【００２４】
ここで、端子カバー１２に形成された前側電線挿入口２１ａから上部ケース１１の各前側導電端子板収容空間１１ａ内の接点板部２９と前側弾性部材２２ａとの間に挿入された電線Ｗは、前側弾性部材２２ａの弾性力によって前側導電端子板２３ａの接点板部２９の第１接点２９ａａ及び第２接点２９ａｂに押し付けられる。また、端子カバー１２に形成された後側電線挿入口２１ｂから上部ケース１１の各後側導電端子板収容空間１１ｂ内の接点板部と後側弾性部材２２ｂとの間に挿入された電線Ｗは、同様に後側弾性部材の弾性力によって後側導電端子板２３ｂの接点板部の第１接点及び第２接点に押し付けられる。このため、電線Ｗを前側導電端子板２３ａあるいは後側導電端子板２３ｂに接続した際に、前側導電端子板２３ａあるいは後側導電端子板２３ｂの接点板部２９が前側弾性部材２２ａあるいは後側弾性部材２２ｂの弾性力によって倒れ込んでしまい、適切な電線保持力を得られないおそれがある。
【００２５】
そこで、本実施形態に係る補助接点ユニット１にあっては、上部ケース１１に、図７に示すように、前側導電端子板２３ａの接点板部２９の、弾性力が作用する方向（前方向）の背面側、即ち前側に位置する複数の前側の支持部１１ｊを設けている。また、上部ケース１１に、後側導電端子板２３ｂの接点板部の、弾性力が作用する方向（後方向）の背面側、即ち後側に位置する複数の後側の支持部１１ｊを設けている。前側の支持部１１ｊは、図８に示すように、各前側導電端子板収容空間１１ａにおいて、左右方向に隣接する第２仕切り壁１１ｄ間を橋渡すように設けられる。また、後側の支持部１１ｊは、各後側導電端子板収容空間１１ｂにおいて、左右方向に隣接する第３仕切り壁１１ｅ間を橋渡すように設けられる。
【００２６】
また、下部ケース１３には、図７に示すように、前側導電端子板２３ａの接点板部２９と前側の支持部１１ｊとの間に入り込み、接点板部２９の背面側、即ち前側を支持する複数の前側の支持板部１３ｂが設けられている。また、下部ケース１３には、同様に、図７に示すように、後側導電端子板２３ｂの接点板部と後側の支持部１１ｊとの間に入り込み、接点板部の背面側、即ち後側を支持する複数の後側の支持板部１３ｂが設けられている。前側の支持板部１３ｂは、図２乃至図７に示すように、上部ケース収容部１３ａの前端上縁から上方に延び、左右方向に隣接する第２仕切り壁１１ｄ間に入り込んで前側導電端子板収容空間１１ａの前側を閉塞する。また、後側の支持板部１３ｂは、図２乃至図７に示すように、上部ケース収容部１３ａの後端上縁から上方に延び、左右方向に隣接する第３仕切り壁１１ｅ間に入り込んで後側導電端子板収容空間１１ｂの後側を閉塞する。
【００２７】
更に、端子カバー１２には、下部ケース１３に設けた前側の支持板部１３ｂ及び上部ケース１１１に設けた前側の支持部１１ｊを前側弾性部材２２ａによる弾性力が作用する方向の正面側（後側）及び背面側（前側）から挟み込んで固定する複数の固定部１２ｃが設けられている。各固定部１２ｃは、前側の支持板部１３ｂを弾性力が作用する方向の正面側（後側）から背面側（前面側）に向けて押圧する傾斜面１２ａと、前側の支持部１１ｊを弾性力が作用する方向の背面側（前面側）で支持する支持板部１２ｂとを備えている。また、端子カバー１２には、同様に、下部ケース１３に設けた後側の支持板部１３ｂ及び上部ケース１１１に設けた後側の支持部１１ｊを後側弾性部材２２ｂによる弾性力が作用する方向の正面側（前側）及び背面側（後側）から挟み込んで固定する複数の固定部１２ｃが設けられている。各固定部１２ｃは、後側の支持板部１３ｂを弾性力が作用する方向の正面側（前側）から背面側（後面側）に向けて押圧する傾斜面１２ａと、後側の支持部１１ｊを弾性力が作用する方向の背面側（後面側）で支持する支持板部１２ｂとを備えている。
【００２８】
ここで、補助接点ユニット１の組立に際しては、前側補助回路端子部２０ａについて、端子カバー１２及び下部ケース１３を取り外した状態の上部ケース１１の各前側導電端子板収容空間１１ａに、各前側導電端子板収容空間１１ａの上方から前側弾性部材２２ａを挿入する。そして、前側弾性部材２２ａの固定部２２ａａを第１仕切り壁１１ｃに固定する。次いで、各前側導電端子板収容空間１１ａに、その前方から前側導電端子板２３ａを挿入し、前側導電端子板２３ａの圧入部２８を第１圧入用突起１１ｆ及び第２圧入用突起１１ｇ間に圧入して固定する。また、同時に、圧入板部２６を上部ケース１１に形成された圧入用孔１１ｈに圧入する。また、後側補助回路端子部２０ｂについても同様に後側弾性部材２２ｂ及び後側導電端子板２３ｂの上部ケース１１への固定を行う。
次いで、上部ケース１１に補助接点部を組み込むとともに、下部ケース１３を上部ケース１１の下方から取り付ける。この際に、下部ケース１３に設けられた前側の支持板部１３ｂを、図７に示すように、前側導電端子板２３ａの接点板部２９と前側の支持部１１ｊとの間に入れ込む。また、下部ケース１３に設けられた後側の支持板部１３ｂを、図７に示すように、後側導電端子板２３ｂの接点板部と後側の支持部１１ｊとの間に入れ込む。
【００２９】
更に、端子カバー１２を上部ケース１１の上方から上部ケース１１に取り付ける。この際に、前側の固定部１２ｃにより、下部ケース１３に設けた前側の支持板部１３ｂ及び上部ケース１１に設けた前側の支持部１１ｊを前側弾性部材２２ａによる弾性力が作用する方向の正面側（後側）及び背面側（前側）から挟み込んで固定する。また、後側の固定部１２ｃにより、下部ケース１３に設けた後側の支持板部１３ｂ及び上部ケース１１に設けた後側の支持部１１ｊを後側弾性部材２２ｂによる弾性力が作用する方向の正面側（前側）及び背面側（後側）から挟み込んで固定する。
これにより、補助接点ユニット１が完成する。
そして、この補助接点ユニット１を電磁接触器２に装着した状態で、電線Ｗを前側電線挿入口２１ａから上部ケース１１の各前側導電端子板収容空間１１ａ内の接点板部２９と電線保持部２２ａｃとの間に挿入する。すると、挿入された電線Ｗは、前側弾性部材２２ａの弾性力によって電線保持部２２ａｃにより前側導電端子板２３ａの接点板部２９の第１接点２９ａａ及び第２接点２９ａｂに押し付けられて前側導電端子板２３ａに接続される。
【００３０】
この際に、下部ケース１３に設けられた前側の支持板部１３ｂが接点板部２９の背面側、即ち前側を支持しているので、接点板部２９が前側弾性部材２２ａの弾性力によって前側に倒れ込むことはない。そして、端子カバー１２に設けられた固定部１２ｃにより、下部ケース１３に設けた前側の支持板部１３ｂ及び上部ケース１１に設けた前側の支持部１１ｊを弾性力が作用する方向の正面側（後側）及び背面側（前側）から挟み込んで固定している。このため、前側の支持板部１３ｂも確実に固定されて前側弾性部材２２ａの弾性力によって前側に倒れ込むことはない。これにより、接点板部２９の倒れ込みを確実に阻止することができ、適切な電線保持力を得ることができる。
なお、電線Ｗは、後側導電端子板２３ｂにも接続されるが、その作用は前側導電端子板２３ａに接続される場合と同様なので、その説明は省略する。
【００３１】
次に、補助接点ユニット１を電磁接触器２へ装着する構成及びその方法について、図１、図５及び図６、及び図１０乃至図１３を参照して説明する。
図５及び図６に示すように、下部ケース１３の下面であるユニット側連結面１３ｃには、前側の長辺側縁部に一対の固定フック部３１が互いに所定間隔を置いて突出して設けられている。各固定フック部３１には、下部ケース１３のユニット側連結面１３ｃから離間する方向に向く爪部３１ａが設けられている。各固定フック部３１の爪部３１ａは、図１及び図１３に示すように、補助接点ユニット１の下部ケース１３を電磁接触器２の消弧カバー６に装着する際に、消弧カバー６の本体側連結面６ａに形成された第１引掛け穴７ａに係合する。
【００３２】
また、ユニット側連結面１３ｃには、後側の長辺側縁部に可動フック部３２が設けられている。
この可動フック部３２は、図５、図６及び図１０に示すように、フック部本体３３と、直線ばね３４とを備えている。また、可動フック部３２は、ユニット側連結面１３ｃに形成されてフック部本体３３を前後方向にスライド自在に収容する本体収容凹部３５と、ユニット側連結面１３ｃに形成されて直線ばね３４を収容するばね収容凹部３６とを備えている。
ここで、本体収容凹部３５は、図１０に示すように、下部ケース１３のユニット側連結面１３ｃの後側の長辺側縁部から前方に延びるように形成され、本体収容凹部３５の後部側の下方は、停止部３７ａによって覆われている。停止部３７ａには前後方向に貫通するスリット３７ｂが形成されている。
【００３３】
また、ばね収容凹部３６は、本体収容凹部３５の前端側においてフック部本体３３のスライド方向である前後方向に直交する左右方向に延び、ばね収容凹部３６の左右方向両端には、収容される直線ばね３４の両端を係止する一対の係止部３６ａが設けられている。ばね収容凹部３６は、左端部から左右方向中央部に向けて後側の長辺側縁部から遠ざかるような傾斜した直線状に形成されるとともに、右端部から左右方向中央部に向けて後側の長辺側縁部から遠ざかるような傾斜した直線状に形成される。直線ばね３４は、ばね収容凹部３６内に収容され、その左右方向両端部が一対の係止部３６ａによって係止される。
【００３４】
そして、フック部本体３３は、図１０乃至図１３に示すように、本体収容凹部３５内に前後方向にスライド自在に収容されるスライド板３３ａと、スライド板３３ａの下面から下方に突出する係合部３３ｂとを備えている。係合部３３ｂの下端には、電磁接触器２の本体側連結面６ａに形成した第２引掛け穴７ｂに係合することが可能な可動爪３３ｃがスライド方向である後方向に突出するように形成されている。また、フック部本体３３は、可動爪３３ｃが突出している側（後側）のスライド板３３ａの一側面（後面）３３ｄに設けられた被押圧片３３ｆを備えている。被押圧片３３ｆは、スライド板３３ａの一側面３３ｄから後方に延びる連結片３３ｅの後端に設けられている。また、フック部本体３３は、スライド板３３ａの一側面３３ｄと逆側の他側面（前面）３３ｇ側に設けられ、直線ばね３４の長さ方向中央部に係合するとともに直線ばね３４の浮き上がりを防止するばね係合保持片３３ｈを備えている。
また、スライド板３３ａの他側面（前面）３３ｇは、図１１に示すように、係合部３３ｂの可動爪３３ｃが突出している側と逆側の面（前面）３３ｂａと面一になるように形成されている。
【００３５】
更に、スライド板３３ａの一側面（後面）３３ｄには、図１１及び図１２に示すように、フック部本体３３の重心位置をスライド板３３ａの他側面（前面）３３ｇ側から一側面（後面）３３ｄ側（図１３におけるＡ側）にずらす肉盛部３３ｉが形成されている。
そして、フック部本体３３のスライド板３３ａは、図５、図６、図１０及び図１３に示すように、被押圧片３３ｆが下部ケース１３のユニット側連結面１３ｃの後側の長辺側縁部から後方に突出するように、本体収容凹部３５内に前後方向にスライド自在に収容される。この際に、フック部本体３３の連結片３３ｅが停止部３７ａに形成されたスリット３７ｂ内を前後方向に貫通する。また、フック部本体３３のばね係合保持片３３ｈがばね収容凹部３６内に収容された直線ばね３４の長さ方向（左右方向）の中央部に係合する。
【００３６】
そして、フック部本体３３のスライド板３３ａを本体収容凹部３５内に収容した初期状態では、図５及び図６に示すように、直線ばね３４の弾性力が後方に向けてフック部本体３３に作用し、フック部本体３３の係合部３３ｂの後面が停止部３７ａに当接する。これにより、フック部本体３３の後方への抜け止めがなされる。また、フック部本体３３の係合部３３ｂの後面が停止部３７ａに当接した状態では、図６に示すように、肉盛部３３ｉが停止部３７ａの上方に入り込み、フック部本体３３の下方への抜け止めがなされる。
フック部本体３３のスライド板３３ａを本体収容凹部３５内に収容した初期状態から被押圧片３３ｆを前方に押圧すると、フック部本体３３は、直線ばね３４による弾性力に抗して前方に移動する。この際に、弓状に弾性変形した直線ばね３４の弾性復元力がフック部本体３３に対して後方に作用する。
【００３７】
次に、補助接点ユニット１を電磁接触器２へ装着するに際しては、図１３に示すように、先ず、下部ケース１３のユニット側連結面１３ｃに設けられた各固定フック部３１の爪部３１ａを、消弧カバー６の本体側連結面６ａに形成された第１引掛け穴７ａに係合する。
その一方、可動フック部３２については、被押圧片３３ｆを前方に押圧してフック部本体３３を前方に移動させた状態で可動爪３３ｃを、消弧カバー６の本体側連結面６ａに形成された第２引掛け穴７ｂ内に入れ込む。この際に、可動爪３３ｃは第２引掛け穴７ｂに対し、非係合状態となっている。また、フック部本体３３には、弓状に弾性変形した直線ばね３４の弾性復元力が後方に向けて作用している。
【００３８】
次いで、被押圧片３３ｆへの押圧状態を解除する。すると、フック部本体３３には、弓状に弾性変形した直線ばね３４の弾性復元力が後方に向けて作用しているので、自動的にフック部本体３３は後方に移動し、図１３に示すように、可動爪３３ｃが第２引掛け穴７ｂに対し係合状態となる。
これにより、補助接点ユニット１を電磁接触器２へ装着することができる。
そして、本実施形態に係る補助接点ユニット１にあっては、スライド板３３ａの他側面（前面）３３ｇは、図１１に示すように、係合部３３ｂの可動爪３３ｃが突出している側と逆側の面（前面）３３ｂａと面一になるように形成されている。このため、スライド板３３ａの他側面（前面）３３ｇには係合部３３ｂの面（前面）３３ｂａから突出する重量物は存在しない。また、スライド板３３ａの一側面（後面）３３ｄには、図１１及び図１２に示すように、フック部本体３３の重心位置をスライド板３３ａの他側面（前面）３３ｇ側から一側面（後面）３３ｄ側（図１３におけるＡ側）にずらす肉盛部３３ｉが形成されている。
【００３９】
このため、図１４に示すように、電線Ｗを引っ張った際に、図１３に示すように、フック部本体３３の可動爪３３ｃが後側、即ち矢印Ｂで示す可動爪３３ｃが第２引掛け穴７ｂにおける消弧カバー６の係止部側に回動する。これにより、フック部本体３３が外れることを効果的に防止することができる。
また、補助接点ユニット１を電磁接触器２から取り外す際には、被押圧片３３ｆを前方に押圧してフック部本体３３を前方に移動させて可動爪３３ｃを非係合状態とし、前述と逆の操作を行って補助接点ユニット１を電磁接触器２から取り外せばよい。
【００４０】
次に、本実施形態に係る補助接点ユニット１の効果を説明するために、参考例に係る補助接点ユニットについて図１５乃至図２７を参照して説明する。
図１５には、参考例に係る補助接点ユニット１０１を電磁接触器１０２に装着した状態が示されている。
ここで、電磁接触器１０２は、電磁接触器２と基本構成は同様であり、前後方向、左右方向及び上下方向に延びる略直方体形状のケース本体１０５を備えている。電磁接触器１０２は、このケース本体１０５の前側及び後側のそれぞれに設けられた前側端子部１０３ａ及び後側端子部（図示せず）と、ケース本体１０５の前側及び後側のそれぞれに設けられた前側コイル端子部１０４ａ及び後側コイル端子部（図示せず）とを備えている。また、ケース本体１０５内には、図示しない可動接点と、前側端子部１０３ａ及び後側端子部のそれぞれに接続された図示しない固定接点とからなる接点部と、接点部を駆動する図示しない電磁石ユニットとが収納されている。そして、接点部は、図示しない消弧室内に収納され、この消弧室はケース本体１０５に装着される消弧カバー１０６によって覆われている。
【００４１】
ここで、消弧カバー１０６は、前後方向、左右方向及び上下方向に延びる矩形板状に形成され、その上面が補助接点ユニット１０１を連結する本体側連結面１０６ａとされている。この本体側連結面１０６ａには、補助接点ユニット１０１を装着するための複数の第１引掛け穴１０７ａ及び第２引掛け穴１０７ｂ（図２６参照）が形成されている。第１引掛け１０７ａは、図１５及び図２６に示すように、消弧カバー１０６の前側の長辺側縁部に寄った位置に形成され、第２引掛け穴１０７ｂは、図２６に示すように、消弧カバー１０６の後側の長辺側縁部に寄った位置に形成されている。
【００４２】
また、補助接点ユニット１０１は、図１５、図１６及び図２１に示すように、電磁接触器１０２の本体側連結面１０６ａに装着されるケース１１０を備えている。補助接点ユニット１０１は、ケース１１０に設けられた４個の前側補助回路端子部１２０ａ及び４個の後側補助回路端子部１２０ｂと、ケース１１０の内部に設けられた図示しない補助接点部とを備えている。
ケース１１０は、図１５乃至図２１に示すように、上部ケース１１１と、上部ケース１１１に上方から取り付けられる端子カバー１１２と、上部ケース１１１に下方から取り付けられる下部ケース１１３とを備えている。
【００４３】
上部ケース１１１は、図１６に示すように、前後方向、左右方向及び上下方向に延びる略直方体形状に形成され、前側に４個の前側端子収容空間１１１ａを備えるとともに、後側に４個の後側端子収容空間１１１ｂを備えている。各前側端子収容空間１１１ａ及び各後側端子収容空間１１１ｂは、前後において対をなす位置に配置されている。各前側端子収容空間１１１ａには、前側補助回路端子部１２０ａを構成する後述のねじ付き端子部１２１ａ及び雌ねじ付きタブ端子部１２２ａが収容される。また、各後側端子収容空間１１１ｂにも、同様に、後側補助回路端子部１２０ｂを構成する後述のねじ付き端子部１２１ｂ及び雌ねじ付きタブ端子部１２２ｂが収容される。
【００４４】
そして、前側端子収容空間１１１ａと後側端子収容空間１１１ｂとの間は、左右方向に延びる第１仕切り壁１１１ｃによって仕切られている。また、前側端子収容空間１１１ａは、上部ケース１１の左右方向に沿って一列状に配置され、隣接する前側端子収容空間１１１ａ間は第２仕切り壁１１１ｄによって仕切られている。各前側端子収容空間１１１ａは、前側が開放している。また、後側端子収容空間１１１ｂも、上部ケース１１１の左右方向に沿って一列状に配置され、隣接する後側端子収容空間１１１ｂ間は第３仕切り壁１１１ｅによって仕切られている。各後側端子収容空間１１１ｂは、後側が開放している。
【００４５】
また、端子カバー１１２は、上部ケース１１１の上方を覆う形状に形成されて上部ケース１１１に上方から取り付けられる。
更に、下部ケース１１３は、上部ケース１１１に下方から取り付けられて上部ケース１１１の下方部及び図示しない補助接点部を収容する。下部ケース１１３の下面は、電磁接触器１０２の本体側連結面１０６ａが当接して電磁接触器１０２を連結するユニット側連結面１１３ａとされている。
【００４６】
次に、前側補助回路端子部１２０ａ及び後側補助回路端子部１２０ｂのそれぞれについて説明する。前側補助回路端子部１２０ａは、図１６及び図２１に示すように、本実施形態の前側補助回路端子部２０ａと異なり、ねじ付き端子部１２１ａと、雌ねじ付きタブ端子部１２２ａとを備えている。また、後側補助回路端子部１２０ｂは、図２１に示すように、ねじ付き端子部１２１ｂと、雌ねじ付きタブ端子部１２２ｂとを備えている。後側のねじ付き端子部１２１ｂは、前側のねじ付き端子部１２１ａと同様の構成を有し、後側の雌ねじ付きタブ端子部１２２ｂは、前側の雌ねじ付きタブ端子部１２２ａと同様の構成を有すため、それぞれの説明は省略する。
【００４７】
ここで、ねじ付き端子部１２１ａは、端子板１２１ａａと、端子板１２１ａａに取り付けられた雄ねじ１２１ａｂとを備えている。
また、雌ねじ付きタブ端子部１２２ａは、図２２に示すように、上下方向及び左右方向に延びる矩形板状の基板部１２３と、基板部１２３の上端から後方に折り曲げ形成された平板状の雌ねじ付き端子板部１２４とを備えている。また、雌ねじ付きタブ端子部１２２ａは、基板部１２３の下端から下方に延び、更に後方に折り曲げられる折り曲げ片１２５と、折り曲げ片１２５の下縁から下方に延びる接続板部１２６とを備えている。
【００４８】
そして、基板部１２３の中央部には、矩形状の開口１２３ａが形成されるとともに、開口１２３ａの下縁から上方に突出する第１圧入突起部１２３ｂが設けられている。また、折り曲げ片１２５の上縁にも第２圧入突起部１２５ａが設けられている。更に、雌ねじ付き端子板部１２４の中央部には、雌ねじ部１２４ａが形成されている。
この雌ねじ付きタブ端子部１２２ａは、図２１に示すように、上部ケース１１１の各前側端子収容空間１１１ａに前側から挿入されて第１圧入突起部１２３ｂ及び第２圧入突起部１２５ａが各前側端子収容空間１１１ａに形成された壁部に圧入される。これにより、雌ねじ付きタブ端子部１２２ａは、上部ケース１１１に固定される。
【００４９】
前側補助回路端子部１２０ａが、このように、ねじ付き端子部１２１ａと、雌ねじ付きタブ端子部１２２ａとからなる場合、前側補助回路端子部１２０ａに接続される電線Ｗ（図２７参照）は、その先端に図示しない圧着端子を接続したものが用いられる。そして、電線Ｗを接続するに際しては、上部ケース１１１に固定された雌ねじ付きタブ端子部１２２ａの雌ねじ付き端子板部１２４上に電線Ｗに接続された圧着端子を置く。そして、ねじ付き端子部１２１ａの端子板１２１ａａで圧着端子を挟みつつ、雄ねじ１２１ａｂを圧着端子を通して雌ねじ部１２４ａに螺合する。これにより、電線Ｗは、前側補助回路端子部１２０ａに接続される。
【００５０】
また、電線Ｗを前側補助回路端子部１２０ａから取り外すには、ねじ付き端子部１２１ａの雄ねじ１２１ａｂによる螺合を解除すればよい。
一方、後側補助回路端子部１２０ｂに電線Ｗを接続するに際しても、同様に、上部ケース１１１に固定された雌ねじ付きタブ端子部１２２ｂの雌ねじ付き端子板部上に電線Ｗに接続された圧着端子を置く。そして、ねじ付き端子部１２１ｂの端子板１２１ｂａで圧着端子を挟みつつ、雄ねじ１２１ｂｂを圧着端子を通して雌ねじ付きタブ端子部１２２ｂの雌ねじ部に螺合すればよい。
【００５１】
ここで、参考例に係る補助接点ユニット１０１における前側補助回路端子部１２０ａ及び後側補助回路端子部１２０ｂにあっては、ねじ付き端子部１２１ａ、１２１ｂ及び上部ケース１１１に固定された雌ねじ付きタブ端子部１２２ａ、１２２ｂによって電線Ｗを接続する。このため、本実施形態に係る補助接点ユニット１におけるスプリング端子を採用した前側補助回路端子部２０ａ及び後側補助回路端子部２０ｂのような、接点板部２９の倒れ込みがなく、適切な電線保持力を得ることができる。
しかしながら、参考例に係る補助接点ユニット１０１における前側補助回路端子部１２０ａ及び後側補助回路端子部１２０ｂの場合、電線Ｗの先端に圧着端子を接続する必要がある。また、電線Ｗの前側補助回路端子部１２０ａ及び後側補助回路端子部１２０ｂへの接続にねじ止め作業が必要となり、その作業が面倒である。
【００５２】
これに対して、本実施形態に係る補助接点ユニット１における前側補助回路端子部２０ａ及び後側補助回路端子部２０ｂの場合、電線Ｗの先端に圧着端子を接続する必要はない。また、電線Ｗの前側補助回路端子部２０ａ及び後側補助回路端子部２０ｂへの接続は、前側電線挿入口２１ａから上部ケース１１の各前側導電端子板収容空間１１ａ内の接点板部２９と電線保持部２２ａｃとの間に挿入するだけでよく、簡単である。
そして、本実施形態に係る補助接点ユニット１における前側補助回路端子部２０ａ及び後側補助回路端子部２０ｂの場合、スプリング端子を採用しているため、前述の欠点が懸念される。しかし、前述したように、前側弾性部材２２ａや後側弾性部材２２ｂによる接点板部２９の倒れ込みを確実に阻止し、適切な電線保持力を得ている。
【００５３】
次に、参考例に係る補助接点ユニット１０１を電磁接触器１０２へ装着する構成及びその方法について、図１５、図１９及び図２０、及び図２３乃至図２６を参照して説明する。
図１９及び図２０に示すように、下部ケース１１３の下面であるユニット側連結面１１３ａには、本実施形態に係る下部ケース１３と同様に、前側の長辺側縁部に一対の固定フック部１３１が互いに所定間隔を置いて突出して設けられている。各固定フック部１３１には、下部ケース１１３のユニット側連結面１１３ａから離間する方向に向く爪部１３１ａが設けられている。各固定フック部１３１の爪部１３１ａは、図２６に示すように、補助接点ユニット１０１の下部ケース１１３を電磁接触器１０２の消弧カバー１０６に装着する際に、消弧カバー１０６の本体側連結面１０６ａに形成された第１引掛け穴１０７ａに係合する。
【００５４】
また、ユニット側連結面１１３ａには、後側の長辺側縁部に可動フック部１３２が設けられている。
この可動フック部１３２は、図１９、図２０及び図２３に示すように、本実施形態に係る補助接点ユニット１における可動フック部３２と同様に、フック部本体１３３と、直線ばね１３４とを備えている。また、可動フック部１３２は、ユニット側連結面１１３ａに形成されてフック部本体１３３を前後方向にスライド自在に収容する本体収容凹部１３５と、ユニット側連結面１１３ａに形成されて直線ばね１３４を収容するばね収容凹部１３６とを備えている。
【００５５】
ここで、本体収容凹部１３５は、図２３に示すように、下部ケース１１３のユニット側連結面１１３ａの後側の長辺側縁部から前方に延びるように形成され、本体収容凹部１３５の後部側の下方は、停止部１３７ａによって覆われている。停止部１３７ａには前後方向に貫通するスリット１３７ｂが形成されている。
また、ばね収容凹部１３６は、本体収容凹部１３５の前端側においてフック部本体１３３のスライド方向である前後方向に直交する左右方向に延び、ばね収容凹部１３６の左右方向両端には、収容される直線ばね１３４の両端を係止する一対の係止部１３６ａが設けられている。ばね収容凹部１３６は、左端部から左右方向中央部に向けて後側の長辺側縁部から遠ざかるような傾斜した直線状に形成されるとともに、右端部から左右方向中央部に向けて後側の長辺側縁部から遠ざかるような傾斜した直線状に形成される。直線ばね１３４は、ばね収容凹部１３６内に収容され、その左右方向両端部が一対の係止部１３６ａによって係止される。
【００５６】
そして、フック部本体１３３は、図２３乃至図２５に示すように、本体収容凹部１３５内に前後方向にスライド自在に収容されるスライド板１３３ａと、スライド板１３３ａの下面から下方に突出する係合部１３３ｂとを備えている。係合部１３３ｂの下端には、電磁接触器１０２の本体側連結面１０６ａに形成した第２引掛け穴１０７ｂに係合することが可能な可動爪１３３ｃがスライド方向である後方向に突出するように形成されている。また、フック部本体１３３は、可動爪１３３ｃが突出している側（後側）のスライド板１３３ａの一側面（後面）１３３ｇに設けられた被押圧片１３３ｅを備えている。また、フック部本体１３３は、スライド板１３３ａの一側面１３３ｇと逆側の他側面（前面）１３３ｈ側に設けられ、直線ばね１３４の長さ方向中央部に係合するとともに直線ばね１３４の浮き上がりを防止するばね係合保持片１３３ｆを備えている。被押圧片１３３ｅは、スライド板１３３ａの一側面１３３ｇから後方に延びる連結片１３３ｄの後端に設けられている。
【００５７】
ここで、スライド板１３３ａの他側面（前面）１３３ｈは、本実施形態におけるスライド板３３ａの他側面３３ｇと異なり、図２４に示すように、係合部１３３ｂの可動爪１３３ｃが突出している側と逆側の面（前面）１３３ｂａに対して前方に突出するように形成されている。
また、スライド板１３３ａの一側面（後面）１３３ｇには、図２０及び図２５に示すように、フック部本体１３３の係合部１３３ｂの後面が停止部１３７ａに当接した状態で停止部１３７ａの上方に入り込む抜け止め突起１３３ｉが突出形成されている。これにより、フック部本体１３３の下方への抜け止めをする。この抜け止め突起１３３ｉは、図２５と図１２とを比較して参照するとわかるように、本実施形態における肉盛部３３ｉと比べて極めて小さい。
【００５８】
そして、フック部本体１３３のスライド板１３３ａは、図１９、図２０、図２３及び図２６に示すように、被押圧片１３３ｅが下部ケース１１３のユニット側連結面１１３ａの後側の長辺側縁部から後方に突出するように、本体収容凹部３５内に前後方向にスライド自在に収容される。この際に、フック部本体１３３の連結片１３３ｄが停止部１３７ａに形成されたスリット１３７ｂ内を前後方向に貫通する。また、フック部本体１３３のばね係合保持片１３３ｆがばね収容凹部１３６内に収容された直線ばね１３４の長さ方向（左右方向）の中央部に係合する。
【００５９】
そして、フック部本体１３３のスライド板１３３ａを本体収容凹部１３５内に収容した初期状態では、図１９及び図２０に示すように、直線ばね１３４の弾性力が後方に向けてフック部本体１３３に作用し、フック部本体１３３の係合部１３３ｂの後面が停止部１３７ａに当接する。これにより、フック部本体１３３の後方への抜け止めがなされる。また、フック部本体１３３の係合部１３３ｂの後面が停止部１３７ａに当接した状態では、図２０に示すように、抜け止め突起１３３ｉが停止部１３７ａの上方に入り込み、フック部本体１３３の下方への抜け止めがなされる。
【００６０】
フック部本体１３３のスライド板１３３ａを本体収容凹部１３５内に収容した初期状態から被押圧片１３３ｅを前方に押圧すると、フック部本体１３３は、直線ばね１３４による弾性力に抗して前方に移動する。この際に、弓状に弾性変形した直線ばね１３４の弾性復元力がフック部本体１３３に対して後方に作用する。
次に、補助接点ユニット１０１を電磁接触器１０２へ装着するに際しては、先ず、図２６に示すように、下部ケース１１３の各固定フック部１３１の爪部１３１ａを、消弧カバー１０６の本体側連結面１０６ａに形成された第１引掛け穴１０７ａに係合する。
【００６１】
その一方、可動フック部１３２については、被押圧片１３３ｅを前方に押圧してフック部本体１３３を前方に移動させた状態で可動爪１３３ｃを、消弧カバー１０６の本体側連結面１０６ａに形成された第２引掛け穴１０７ｂ内に入れ込む。この際に、可動爪１３３ｃは第２引掛け穴１０７ｂに対し、非係合状態となっている。また、フック部本体１３３には、弓状に弾性変形した直線ばね１３４の弾性復元力が後方に向けて作用している。
次いで、被押圧片１３３ｅへの押圧状態を解除する。すると、フック部本体１３３には、弓状に弾性変形した直線ばね３４の弾性復元力が後方に向けて作用しているので、自動的にフック部本体１３３は後方に移動し、図２６に示すように、可動爪１３３ｃが第２引掛け穴１０７ｂに対し係合状態となる。
これにより、補助接点ユニット１を電磁接触器２へ装着することができる。
【００６２】
ここで、参考例に係る補助接点ユニット１０１にあっては、スライド板１３３ａの他側面（前面）１３３ｈは、本実施形態におけるスライド板３３ａの他側面３３ｇと異なり、係合部１３３ｂの可動爪１３３ｃが突出している側と逆側の面（前面）１３３ｂａに対して前方に突出するように形成されている。このため、係合部１３３ｂの面（前面）１３３ｂａから前方に突出する重量物が存在する。また、スライド板１３３ａの一側面（後面）１３３ｇには、図２５に示すように、抜け止め突起１３３ｉが設けられているもののその大きさは本実施形態における肉盛部３３ｉと極めて小さく、その重量は軽い。このため、図２６に示すように、フック部本体１３３の重心位置は前側（図２６におけるＣ側）に寄っている。
このため、図２７に示すように、電線Ｗを引っ張った際に、図２６に示すように、フック部本体１３３の可動爪１３３ｃが前側、即ち矢印Ｄで示す可動爪１３３ｃが第２引掛け穴１０７ｂにおける消弧カバー６の係止部側から離れる側に回動する。これにより、フック部本体１３３が外れてしまうおそれがある。
【００６３】
これに対して、本実施形態に係る補助接点ユニット１の場合、前述したように、スライド板３３ａの他側面（前面）３３ｇは、図１１に示すように、係合部３３ｂの可動爪３３ｃが突出している側と逆側の面（前面）３３ｂａと面一になるように形成されている。このため、スライド板３３ａの他側面（前面）３３ｇには係合部３３ｂの面（前面）３３ｂａから突出する重量物は存在しない。また、スライド板３３ａの一側面（後面）３３ｄには、図１１及び図１２に示すように、フック部本体３３の重心位置をスライド板３３ａの他側面（前面）３３ｇ側から一側面（後面）３３ｄ側（図１３におけるＡ側）にずらす肉盛部３３ｉが形成されている。
このため、図１４に示すように、電線Ｗを引っ張った際に、図１３に示すように、フック部本体３３の可動爪３３ｃが後側、即ち矢印Ｂで示す可動爪３３ｃが第２引掛け穴７ｂにおける消弧カバー６の係止部側に回動する。これにより、フック部本体３３が外れることを効果的に防止することができる。
【００６４】
以上、本発明の実施形態について説明してきたが、本発明はこれに限定されずに種々の変更、改良を行うことができる。
例えば、上部ケース１１に設けられる支持部１１ｊは、接点板部２９の、弾性力が作用する方向の背面側に位置すればよく、図示した形状に限られない。
また、下部ケース１３に設けられる支持板部１３ｂは、接点板部２９と支持部１１ｊとの間に入り込み、接点板部２９の背面側を支持するものであればよく、図示した形状に限られない。
更に、端子カバー１２に設けられる固定部１２ｃは、下部ケース１３に設けた支持板部１３ｂ及び上部ケース１１に設けた支持部１１ｊを弾性力が作用する方向の正面側及び背面側から挟み込んで固定するものであればよく、図示した形状に限られない。
【符号の説明】
【００６５】
１  補助接点ユニット
２  電磁接触器
３ａ  前側端子部
３ｂ  後側端子部
４ａ  前側コイル端子部
４ｂ  後側コイル端子部
５  ケース本体
６  消弧カバー
６ａ  本体側連結面
７ａ  第１引掛け穴
７ｂ  第２引掛け穴
１０  ケース
１１  上部ケース
１１ａ  前側導電端子板収容空間
１１ｂ  後側導電端子板収容空間
１１ｃ  第１仕切り壁
１１ｄ  第２仕切り壁
１１ｅ  第３仕切り壁
１１ｆ  第１圧入用突起
１１ｇ  第２圧入用突起
１１ｈ  圧入用孔
１１ｉ  接続板用スリット
１１ｊ  支持部
１２  端子カバー
１２ａ  傾斜面
１２ｂ  支持板部
１２ｃ  固定部
１３  下部ケース
１３ａ  上部ケース収容部
１３ｂ  支持板部
１３ｃ  ユニット側連結面
２０ａ  前側補助回路端子部（補助回路端子部）
２０ｂ  後側補助回路端子部（補助回路端子部）
２１ａ  前側電線挿入口（電線挿入口）
２１ｂ  後側電線挿入口（電線挿入口）
２２ａ  前側弾性部材（弾性部材）
２２ａａ  固定部
２２ａｂ  湾曲部
２２ａｃ  電線保持部
２２ｂ  後側弾性部材（弾性部材）
２３ａ  前側導電端子板（導電端子板）
２３ｂ  後側導電端子板（導電端子版）
２４  基板部
２５  垂下板部
２６  圧入板部
２７  接続板部
２８  圧入部
２９  接点板部
２９ａ  第１接点板部
２９ａａ  第１接点
２９ｂ  第２接点板部
２９ｂａ  第２接点
３１  固定フック部
３１ａ  爪部
３２  可動フック部
３３  フック部本体
３３ａ  スライド板
３３ｂ  係合部
３３ｃ  可動爪
３３ｄ  スライド板の一側面（後面）
３３ｅ  連結片
３３ｆ  被押圧片
３３ｇ  スライド板の他側面（前面）
３３ｈ  ばね係合保持片
３３ｉ  肉盛部
３４  直線ばね
３５  本体収容凹部
３６  ばね収容凹部
３６ａ  係止部
３７ａ  停止部
３７ｂ  スリット
Ｗ  電線
【図１】
2020042912.tif 000003
【図２】
2020042912.tif 000004
【図３】
2020042912.tif 000005
【図４】
2020042912.tif 000006
【図５】
2020042912.tif 000007
【図６】
2020042912.tif 000008
【図７】
2020042912.tif 000009
【図８】
2020042912.tif 000010
【図９】
2020042912.tif 000011
【図１０】
2020042912.tif 000012
【図１１】
2020042912.tif 000013
【図１２】
2020042912.tif 000014
【図１３】
2020042912.tif 000015
【図１４】
2020042912.tif 000016
【図１５】
2020042912.tif 000017
【図１６】
2020042912.tif 000018
【図１７】
2020042912.tif 000019
【図１８】
2020042912.tif 000020
【図１９】
2020042912.tif 000021
【図２０】
2020042912.tif 000022
【図２１】
2020042912.tif 000023
【図２２】
2020042912.tif 000024
【図２３】
2020042912.tif 000025
【図２４】
2020042912.tif 000026
【図２５】
2020042912.tif 000027
【図２６】
2020042912.tif 000028
【図２７】
2020042912.tif 000029